【事件の表示】
　特願２００２−２２３９７７「無停電電源装置」拒絶査定不服審判事件〔平成１６年　２月２６日出願公開，特開２００４−　６４９７５〕について，次のとおり審決する。
【結　論】
　本件審判の請求は，成り立たない。
【理　由】
１．手続の経緯・本願の発明
　本願は，平成１４年７月３１日の出願であって，平成１９年２月２２日付けで拒絶査定がなされ，これに対し，同年４月２日に拒絶査定不服の審判が請求されると共に，同日付けで明細書についての補正がなされ，さらに，平成２０年１０月８日付けで当審における拒絶理由が通知され，これに対し，同年１２月１１日付けで意見書及び手続補正書が提出されたものである。
　
　本願の請求項１に係る発明（以下「本願発明」という。）は，平成２０年１２月１１日付け手続補正書により補正された明細書及び図面の記載によれば，次の通りのものと認める。
「入力電圧が正常である場合は、充電器によりバッテリを充電し、前記入力電圧が低下若しくは停電すると、前記バッテリから負荷に電力を供給する無停電電源装置において、前記バッテリはリチウムイオン電池からなると共に、前記入力電圧が正常に立ち上がると、完全放電状態にある前記バッテリがフル充電するまでの時間よりも長く設定された一定時間後に前記充電器の動作を停止させるタイマ手段を備え、充電器制御回路は、前記充電器の動作停止時に前記バッテリの充電電圧が第１の電圧レベルにまで低下すると、前記充電器の動作を開始させるようにし、前記バッテリの充電電圧が第１の電圧レベルよりも高い第２の電圧レベルに上昇すると、再び前記充電器の動作を停止して定期トリクル充電を行うように構成したことを特徴とする無停電電源装置。」
　なお，請求項１には，「・・，前記充電器制御回路は，・・」と記載されるが，当該個所より前に「充電器制御回路」は記載されていないので，「前記」は誤記と認め，本願発明を上記のとおり認定した。
　　　
２．引用例
　当審における拒絶の理由に引用した実願平１−９６８３３号（実開平３−３９３４９号）のマイクロフィルム（以下「引用例１」という。），同じく特開２００２−５８１７０号公報（以下「引用例２」という。），同じく特開平９−３５７５５号公報（以下「引用例３」という。），同じく特開平８−１６８１９２号公報（以下「引用例４」という。）には，図面と共に次の事項が記載されている。
　　
（２−１）引用例１
　　
　・「〔産業上の利用分野〕
　この考案は主電源をバックアップするバッテリーを備えた無停電電源装置に関する。
　〔従来の技術〕
　第５図は従来の無停電電源装置を示す回路図である。図において，１は商用電源（主電源）の電圧を整流する整流器，２は逆流阻止用のダイオード，３は安定化電源回路，４は充電器，５はバッテリー，６は停電検出回路，７は一定時間の均等充電を指令する指令回路であって，停電検出回路６から電源回復検知信号を受けると，一定時間の間，均等充電指令を充電器４に送出する。
　この構成において，商用電源が健全である間は，整流器１は整流電圧を送出し，この整流電圧は安定化電源回路３を通して負荷に給電される。この時，充電器４はバッテリー５を浮遊充電し，一定電圧に充電する。商用電源が停電すると，負荷にはバッテリー５の電圧が安定化電源回路３を通して供給される。商用電源が回復すると，均等充電を指令する指令回路７が停電検出回路６から電源回復信号を受けて，一定時間，均等充電を指令するので，充電器４はバッテリー５の均等充電を開始する。」（明細書１頁１８行〜２頁最下行）
　　
　これらの記載事項及び図示内容を総合すると，引用例１には，次の事項からなる発明（以下「引用発明」という。）が記載されているといえる。
　　
「商用電源が健全である間は，充電器４によりバッテリー５を浮遊充電し，前記商用電源が停電すると，前記バッテリー５から負荷に電圧を供給する無停電電源装置において，前記商用電源が回復すると，一定時間，均等充電指令を充電器４に送出する指令回路７を備えた無停電電源装置。」
　　　
（２−２）引用例２
　  
　・「【０００１】
【発明の属する技術分野】本発明は、二次電池を備えた無停電電源装置に関する。」
　　　
　・「【０００５】本発明は、上記事情に鑑みてなされたもので、リチウムイオン二次電池の使用を可能にして小型軽量の無停電電源装置を提供することを目的とする。
【０００６】
【課題を解決するための手段】上記課題を解決するため請求項１の無停電電源装置は、複数個のリチウムイオン二次電池のセルを直列接続してなる電池モジュールを複数個直列接続して所要の出力電圧を得るようにした電池電源を備え、前記電池モジュールには、前記セルの直列回路に接続されてそのセル群の充電を行う充電回路と、前記各セルの過充電及び過放電を防止する機能を備えた電池保護回路を備えたところに特徴を有する。
　　　
　・「【０００９】
【発明の実施の形態】以下、本発明を常時インバータ給電方式の無停電電源装置に適用した一実施形態について図面を参照して説明する。交流入力端子１０は入力トランス１１及びチョークコイル１２を介してコンバータ１３に接続され、ここで交流電力が直流変換されてインバータ１４に与えられる。インバータ１４の出力トランス１５は交流スイッチ１６を介して交流出力端子１７に連なる。コンバータ１３とインバータ１４との間には本発明に係る電池電源２０が接続され、図示しない交流ラインから充電されると共に、インバータ１４に逆流阻止ダイオード１８を介して直流電力を供給できるようになっている。
【００１０】さて、上記電池電源２０は複数台（例えば７台）の電池モジュール３０を直列接続して所要電圧を得るようになっており、その電池モジュール３０は全て標準化された同一構成である。これを詳細に示すと、図２に示すようになっており、これを説明する。各電池モジュール３０には、リチウムイオン二次電池のセル３１が計４個直列接続され、定格出力電圧は例えば１４．４Ｖに設定してある。各セル３１の直列回路に対して充電回路３２が設けられ、フロート充電できるようになっている。この充電回路３２は、例えば交流１００Ｖを入力として直流１６．４Ｖを出力するスイッチング電源により構成してある。」
　
（２−３）引用例３
　　　
　・「【０００２】
【従来の技術】充電器は、電気機器から取り出された電池パックと、電気機器に内蔵する二次電池の両方を充電できるものがある。この充電器は、電池パックの装着部と、二次電池を内蔵する電気機器の装着部とを備える。電池パックと、電気機器に内蔵される二次電池が満充電されると、充電を停止するように構成されている。この充電方法は、充電器に装着した状態では電気機器を使用しないものについては、便利に使用できる。
【０００３】しかしながら、たとえば携帯電話のように、電気機器が動作している状態で、内蔵する二次電池を充電する場合は、二次電池が満充電された後に、充電を停止すると、内蔵する二次電池が放電される弊害がある。内蔵する二次電池が放電されると、電気機器を充電器から外したときに、二次電池を常に満充電状態にできず、使用できる時間が短くなってしまう欠点がある。
【０００４】この弊害は、電気機器に内蔵される二次電池を、満充電された後も継続してトリクル充電することで解消できる。二次電池をトリクル充電する電流は、連続して満充電された電池を充電しても電池性能を低下させない電流値、たとえば、Ｃ／１５〜Ｃ／２０（Ｃ；電池容量）に設定される。トリクル充電は、電池性能を低下させないので、満充電された電池パックを充電し、電気機器に内蔵された二次電池を充電し、さらに、使用状態にある電気機器に電力を供給できる。
【０００５】
【発明が解決しようとする課題】しかしながら、電池性能を低下させないで満充電状態に保持できるトリクル充電電流と、電気機器の負荷電流とは必ずしも同じでない。たとえば、電池パックと二次電池の電池性能を低下させないトリクル充電電流が５０ｍＡで、電気機器の負荷電流が１００ｍＡであると、トリクル充電する状態においても二次電池は次第に放電される欠点がある。二次電池が放電されないように、トリクル充電電流を１００ｍＡに設定すると、電池が過充電されて電池性能が低下する。
【０００６】この弊害を防止するために、トリクル充電を変化させる充電方法が開発されている（特開平３−４０７２８号公報）。この公報に記載される充電方法は、電気機器が使用状態にないときは第１トリクル充電し、電気機器が使用状態にあるときは、第２トリクル充電する。第１トリクル充電は二次電池の電池性能を低下させない充電電流に設定されている。第２トリクル充電は、第１トリクル充電よりも充電電流が大きく、負荷にも電力が供給できる充電電流に設定されている。
【０００７】この充電方法は、電気機器が使用されないときに充電電流を小さくするので、このときに電池が過充電されて性能が低下するのを防止できる。また、電気機器を使用するときには、充電電流を大きくするので、電気機器に内蔵される二次電池が放電されるのも防止できる。しかしながら、実際には、この充電方法で電池を充電すると、電池性能が次第に低下する弊害がある。とくに、リチウムイオン二次電池等の電池は、電池性能が相当に低下してしまう欠点がある。
【０００８】本発明は、さらにこの欠点を解決することを目的に開発されたものである。本発明の重要な目的は、電池の過充電に起因する性能低下を有効に防止でき、さらに、電気機器を使用状態としても、内蔵する二次電池が放電されるのを防止できる充電方法を提供することにある。
【０００９】
【課題を解決するための手段】本発明の請求項１に記載される電池の充電方法は、充電器１に電池パック２が接続されたときは、電池パック２が満充電された後に電流供給を遮断して充電を中止する。すなわち、満充電された電池パック２は、トリクル充電しない。充電器１に、二次電池４を内蔵する電気機器３が接続されたときは、二次電池４が満充電された後も、電気機器３に微小電流を供給して、二次電池４が放電されるのを防止する。
【００１０】さらに、本発明の請求項２に記載される電池の充電方法は、電気機器３に内蔵された二次電池４を満充電した後に、充電器１から電気機器３に供給する微小電流を、電気機器３の消費電流以下に設定する。満充電された二次電池４を充電しないようにするためである。」
　　　　
　・「【００１４】図１は、本発明の充電方法に使用する充電器１と電池パック２と電気機器３を示す。以下、電池パック２と二次電池４がリチウムイオン二次電池である実施の形態を詳述する。ただし、本発明の充電方法は、電池パックと二次電池をリチウムイオン二次電池に特定しない。電池パックと二次電池には、ニッケル−カドミウム電池やニッケル−水素電池とすることもできる。この図の充電器１は、電池パック２と、電気機器３に内蔵される二次電池４を充電する電源５と、電池パック２及び二次電池４の充電時間を設定するタイマー６と、タイマー６の出力でオンオフに切り換えられる制御トランジスターＱ1と、制御トランジスターＱ1にオンオフ制御されるスイッチングトランジスターＱ2とを備える。
【００１５】電源５は、商用電源５である交流１００Ｖを、電池パック２と二次電池４の充電電圧である直流に変換する。電池パック２と二次電池４をリチウムイオン二次電池とする充電器１は、電源５を定電圧定電流電源とする。定電圧定電流電源は、電池パック２と二次電池４を充電する最高電圧と、最大電流を一定値以下に保持して充電する。電池パック２と二次電池４に、ニッケル−カドミウム電池やニッケル−水素電池を使用する場合は、充電器１の電源５を定電流電源とする。
【００１６】タイマー６は、電池パック２と二次電池４を満充電できる時間に設定されている。タイマー６は、充電を開始して設定時間が経過すると、発光ダイオード７を点灯して、電池パック２、または電気機器３に内蔵される二次電池４が満充電されたことを表示する。さらに、タイマー６は設定時間経過すると、制御トランジスターＱ1に”Ｌｏｗ”信号を出力する。タイマー６は、設定時間経過するまでは制御トランジスターＱ1に”Ｈｉｇｈ”信号を出力している。」
　　
　・「【００２０】図１に示す充電器１は、下記のようにして電池パック２と、電気機器３に内蔵される二次電池４を満充電する。
［充電器に電池パックを装着するとき］
  充電器１に電池パック２が装着されると、電池パック２は、＋出力端子８と−出力端子９に接続される。
  タイマー６がカウントを開始する。タイマー６は、たとえば図示しないが、電池パック２を装着したことを知らせるセットボタンからの信号でカウントを開始する。タイマー６がカウントを開始すると、タイマー６は”Ｈｉｇｈ”信号を制御トランジスターＱ1のベースに出力する。
  制御トランジスターＱ1は、タイマー６の”Ｈｉｇｈ”信号でオン状態に切り換えられる。
  オン状態の制御トランジスターＱ1は、スイッチングトランジスターＱ2をオン状態にして、電池パック２を充電する。
  タイマー６の設定時間が経過すると電池パック２は満充電される。発光ダイオード７が点灯されて、電池パック２が満充電されたことが表示される。タイマー６の出力は、”Ｈｉｇｈ”から”Ｌｏｗ”に切り換えられる。
  タイマー６の出力が”Ｌｏｗ”になると、制御トランジスターＱ1がオフになり、制御トランジスターＱ1でスイッチングトランジスターＱ2もオフに切り換えられる。これは、制御端子１０が開放状態にあって、マイナス側に接続されていないからである。この状態になると、電池パック２への電流供給は遮断されて、充電は停止される。」
　　　　
（２−４）引用例４
　　　　
　・「【０００１】
【産業上の利用分野】本発明は、リチウム・イオン電池 (以下 Li+電池と記す) 等の、ニッケルカドミウム電池やニッケル水素電池（以下 Nicd/NiMH 電池と記す）に対して用いられるトリクル充電方式では電池の劣化を招くため不可であるような二次電池の充電制御装置に関する。」
　　　　
　・「【０００６】図３は代表的な二次電池の通常の充電方式によるときの充電電圧と充電電流の時間変化を示す。（１）は Nicd／NiMH電池の場合であり、（２）はLi+ 二次電池の場合である。
【０００７】Nicd／NiMH電池では、充電制御装置はある程度高い電圧で、定電流制御を行うことにより充電する。図に示すように、充電電流は一定であり、充電が進むにつれて充電電圧は高くなる。満充電状態になると、電池の特性上わずかに電圧が下がる（−ΔＶ）。通常これを検出して充電終了とする。
【０００８】Li+ 二次電池では、電池の特性上、満充電時の電圧より高い電圧を加えることはできない。従って、始めは定電流により充電するが、ある程度充電電圧が上がると電圧を押さえ定電圧制御を行う。定電圧といっても実際はわずかに電圧は上昇する。この電圧が電池の許容値を越えないように、充電電流が所定値以下になったところで充電終了とする。電池の容量が１ＡＨのとき１Ａの電流を１Ｃの電流と呼ぶ。通常は０．１Ｃの電流値で終了とする。
【０００９】充電電流は通常０．３Ｃ程度にするが、この標準充電の他に、急速充電と称する充電電流値を大（１Ｃ〜１．５Ｃ）にして充電時間を短くする方式があるが本質的な違いはない。
【００１０】なお、充電の終了検出には、前記の−ΔVの検出、充電電流値の検出の他に、ピーク電圧の検出、絶対温度が規定値を越えたことの検出、ΔT/Δt が規定値以上になったことの検出、あるいは規定の充電時間が経過したことの検出等、各種の手法があり、適宜、単独でまたは組み合わせて用いられる。」
　　　
　・「【００１２】従って、二次電池が Nicd/NiMH 電池の場合は、通常の充電の終了後は自己放電による自己消費量に見合う微小電流をＡＣアダプタ等から供給して低率の充電レートで常に充電し、自己放電による目減りを防止する。これをトリクル充電という。
【００１３】図４にトリクル充電回路を示す。トリクル充電は、通常の充電制御装置２と並列に、直流電圧源（ＡＣアダプタ出力）１から電流制限用の抵抗R0と逆流防止用のダイオードD4をとおして電池３に接続する回路で実現される。ダイオードD4はＡＣアダプタ１による電力供給が途絶えたとき電池の電力がＡＣアダプタ１を通して漏洩するのを防止する。ＡＣアダプタ１は一定の電圧で電力を供給し、充電完了後の二次電池３の電圧も一定である。従って、二次電池３は抵抗R0を介してＡＣアダプタ１と二次電池３の電圧差と抵抗R0により決まる電流で充電される。この充電電流値が二次電池の自己放電に見合う電流値となるように抵抗R0の値を決めれば、つねに二次電池の自己放電分をＡＣアダプタ１から供給することとなり、常に満充電状態を保つこととなる。
【００１４】前述したように、Nicd/NiMH電池では、ある程度高い電圧がかかっても問題ないため、自己放電を補うためには、抵抗による電流制限を施した定電圧による充電と言う簡単な方法で実現が可能である。一方、今後の主流となると考えられるLi+ 二次電池では、電池で決められた以上の電圧を印加すると電池が劣化するため、同様な方式によるトリクル充電を行うことはできない。ただし、 Li+二次電池はNiMH電池や Nicd電池に比べて自己放電量が少ない。 Li+二次電池の自己放電量は Nicd電池や NiMH 電池に比べて極端に少なく１０％／月程度であり、６ケ月程度放置してもまだ５０％程度の残量がある。従って、充電終了後はそのままにしてもよい。」
　　　　
　・「【００１７】
【課題を解決するための手段】二次電池と外部から電力の供給を受ける手段とを有する電子機器内にあって、二次電池を充電するための充電制御装置において、電子機器に外部から電力が供給されているとき、二次電池の残留電力を判断する残量監視手段を有し、残量監視手段は、残量が所定値以下になったと判定したとき充電を開始させる。
【００１８】残量の所定値の判定には、二次電池の電圧を監視して、所定の電圧以下になったことを検出してもよいし、二次電池への充電が完了した時点からの経過時間を測定し、所定の値になったときとしてもよい。
【００１９】
【作用】Li+ 二次電池は満充電状態のときの電圧が最も高く、放電が進むに従って電圧が低下する特性をもつ。言い換えれば電圧測定することで電池の残量を判定することが容易である。従って、ＡＣアダプタ等により外部から電力が供給されている状態のとき、二次電池の電圧が所定の電圧以下になったら充電を開始することで、電池の自己放電分を補い、常に満充電状態に近い状態を維持することが可能となる。」
　　　　　
　・「【００２１】
【実施例】以下に本発明を適用した Li+二次電池用の充電制御装置の例を説明する。図１は実施例のハードウェア構成図であり、図２はその動作説明フローチャートである。  通常の充電制御装置は、定電流／定電圧制御回路21、電圧・電流測定回路22、マイクロコントローラによる充電制御部23、および外部給電を検出する電圧比較器CMP と基準電圧e 、充電電流測定用の抵抗R1、逆流防止用のダイオードD1,D2,D3よりなる。このハードウェア構成そのものは従来技術の Li+二次電池用の充電制御装置と異なるところはない。
【００２２】ＡＣアダプタ１は定電圧の直流DC-IN を供給する。充電制御部 (マイクロコントローラ) 23は、定電流／定電圧制御回路21に対して充電の開始や停止（ON/OFF信号) 、および電流値の大小等を指示するための充電に関する制御を行う。・・・
【００２３】電圧・電流測定回路22は、電池３を充電するときや充電するときの電圧、電流、を測定して充電制御部23に与える。抵抗 R1 は電池からの充放電電流を測定するためのシャント抵抗である。
【００２４】定電流／定電圧制御回路21は、始めは定電流で、後に定電圧で電池３への充電電流を流す制御回路である。制御部210 はオペアンプ（エラーアンプ）２個を有し、抵抗R2に流れる電流値と出力側の電圧値が決められた上限を越えないようにスイッチングトランジスタFET をON/OFFする。外部から供給される直流はスイッチングトランジスタFET により制御部210 の指示に従ってスイッチングされる。その出力は、L,C1,D5 による平滑回路で平滑され電池３に加えられる。これは、公知のスイッチング・レギュレーション技術である。・・・　　　　
【００２５】以下に、図２のフローチャートにより、実施例の動作を説明する。
充電開始処理：従来どおりにＡＣアダプタによる電力供給の開始の検出(S1)あるいは電池の装着(S2)を契機として二次電池への充電開始指示ONを出す(S3)。
【００２６】これにより、ハードウェアは、図３（２）に示したように始めは定電流で充電を行い、電圧が所定値に達すると定電圧での充電を行う。なお、充電制御部23から充電電流の大小を指定する信号R/S により急速充電、標準充電の区別ができるが、本発明には直接関係ないので説明は省略する。
【００２７】充電の終了処理：Li+二次電池の場合は、充電電流を監視し、所定の充電電流値（通常、0.1C：1000ｍＡＨの容量で 100ｍＡ）以下になったことを検出(S6)したとき、または、充電開始から所定の時間（例えば２時間）を経過したとき(S5)に、充電の終了指示OFF(S7) を出す。なお、ピーク電圧の検出、絶対温度が規定値を越えたことの検出、ΔT/Δt が規定値以上になったことの検出等の充電完了検出手法を併用してもよい。
【００２８】放電監視処理：充電完了後、電池の電圧を監視し、限度として定めた値に達したことを検出すると(S9)、または経過時間が限度として定めた値に達すると(S10) 、充電開始の指示ONを出す(S3)。」
　　　
　・「【００３０】
【発明の効果】以上説明したように、本発明によれば、装置に内蔵される電池がリチウムイオン二次電池のような、単純な回路によるトリクル充電方式を使うことができない電池でも、ＡＣアダプタ等により外部から電力の供給を受けている状態では、常に残量を一定値以上にし、満充電の状態に近い状態に保つことができる。」
　　　　
３．対比
　本願発明と引用発明とを対比すると，その機能・作用からみて，後者における「商用電源が健全である間」は，前者における「入力電圧が正常である場合」に相当し，以下同様に，「バッテリー５」は「バッテリ」に，「浮遊充電」は「充電」に，「商用電源が停電する」は，「入力電圧が低下若しくは停電する」に，「負荷に電圧を供給する」は「負荷に電力を供給する」に，「商用電源が回復する」は「入力電圧が正常に立ち上がる」に，それぞれ相当している。
　また，後者の「一定時間，均等充電指令を充電器４に送出する指令回路７を備え」る態様と，前者の「完全放電状態にあるバッテリがフル充電するまでの時間よりも長く設定された一定時間後に充電器の動作を停止させるタイマ手段を備え」る態様とは，「一定時間後に充電器の動作を停止させる手段を備え」るとの概念で共通する。
　　　
　したがって，本願発明と引用発明とは，
「入力電圧が正常である場合は，充電器によりバッテリを充電し，前記入力電圧が低下若しくは停電すると，前記バッテリから負荷に電力を供給する無停電電源装置において，前記入力電圧が正常に立ち上がると，一定時間後に前記充電器の動作を停止させる手段を備えた無停電電源装置。」の点で一致し，以下の点で相違する。
　　　
［相違点１］
　バッテリの構成に関し，本願発明では「バッテリはリチウムイオン電池からなる」のに対し，引用発明ではそのような特定はなされていない点。
　　　
［相違点２］
　一定時間後に充電を停止させる手段に関し，本願発明では，「完全放電状態にあるバッテリがフル充電するまでの時間よりも長く設定された一定時間後に充電器の動作を停止させるタイマ手段」で構成されるのに対し，引用発明では，「一定時間，均等充電指令を充電器に送出する指令回路」で構成される点。
　　　
［相違点３］
　本願発明は，充電器制御回路を備え，「充電器制御回路は，充電器の動作停止時にバッテリの充電電圧が第１の電圧レベルにまで低下すると、前記充電器の動作を開始させるようにし、前記バッテリの充電電圧が第１の電圧レベルよりも高い第２の電圧レベルに上昇すると、再び前記充電器の動作を停止して定期トリクル充電を行うように構成した」のに対し，引用発明は，そのような構成を有していない点。
　　
４．判断
　上記各相違点について，以下検討する。
　　　
・相違点１について
　引用例２には，無停電電源装置における電池電源（「バッテリ」に相当）として，リチウムイオン二次電池（「リチウムイオン電池」に相当）で構成することが開示されている。
　そして，引用発明と引用例２に開示された事項とは，いずれも無停電電源装置に関するもので技術分野が共通するから，引用発明において，引用例２に開示された事項を適用して，相違点１に係る本願発明の構成とすることは，当業者が容易に想到し得るものである。
　　
・相違点２について
　引用例３には，リチウムイオン二次電池（「リチウムイオン電池」に相当）を充電する充電器１において，充電器１にリチウムイオン二次電池からなる電池パック２が装着されると，充電を開始すると共にタイマー６（「タイマ手段」に相当）がカウントを開始し，リチウムイオン二次電池を満充電できる時間に設定されたタイマー６の設定時間が経過すると，充電器１の充電動作を停止させることが記載されている。ここで，設定された「リチウムイオン二次電池を満充電できる時間」とは，技術常識をもって解釈すれば，充電前の二次電池がどのような充電状態であっても満充電できるような時間，すなわち「完全放電状態にある二次電池が満充電するまでの時間」よりも長く設定されていると解することができるから，引用例３には，「完全放電状態にある二次電池が満充電するまでの時間よりも長く設定された一定時間後に充電器の充電動作を停止させるタイマー」が開示ないし示唆されているといえる。
　そして，引用発明と引用例３に開示された事項とは，共に二次電池の充電制御に関する技術であり共通する技術分野に属するものといえるから，引用発明に引用例３に開示された事項を適用することには，動機付けが存在する。
　したがって，引用発明において，引用例３に開示された事項を適用することにより，相違点２に係る本願発明の構成とすることは，当業者が容易に想到し得るものである。
　　　
・相違点３について
　ア　引用例４には，リチウム・イオン電池３の充電制御装置において，充電制御部23が，充電完了後，該電池３の電圧を監視し，限度として定めた値に達したことを検出すると，充電開始の指示を出し，定電流／定電圧制御回路21による充電動作を開始させるようにし，充電電流が所定の充電電流値以下になると充電の終了指示を出して充電動作を停止させること，及び充電完了検出手法として，充電電圧のピーク電圧を検出する手法を併用してもよいことが記載されている。また，充電完了検出手法に関しては，【００１０】段落にある「充電の終了検出には，・・・ピーク電圧の検出，・・等，各種の手法があり，適宜，単独でまたは組み合わせて用いられる。」との記載を併せ参酌すると，充電完了検出手法として，充電電圧のピーク電圧の検出による手法を単独で採用することも開示されていると解することができる。そして，二次電池の充電完了検出手法として，充電電圧が所定値に上昇したことを検出する手法は，通常採用される手法であることを勘案すると，「ピーク電圧の検出」手法には，充電電圧が所定値に上昇したことを検出する手法も含まれるものと解される。したがって，引用例４には，充電電圧が所定値に上昇したことを検出して充電を完了させることが開示又は示唆されているといえる。
　また，上記「限度として定めた値」とは，電池３の充電電圧が自己放電により低下した場合に，充電を開始する時期を定めるために設定された電圧値であることが明らかであるから，充電の終了指示を出すためのピーク電圧の「所定値」が，上記「限度として定めた値」より高い電圧レベルにあることもまた，当業者に明らかである。
　したがって，引用例４には，「充電制御装置（「充電器制御回路」に相当）は，充電完了後，充電動作停止時（「充電器の動作停止時」に相当）に，リチウム・イオン電池の電圧（「充電電圧」に相当）が限度として定めた値（「第１の電圧レベル」に相当）にまで低下すると，充電動作を開始させるようにし，前記電池の充電電圧が，限度として定めた値よりも高い所定値（「第２の電圧レベル」に相当）に上昇すると，再び充電動作を停止（「充電器の動作を停止」に相当）するよう構成した」こと（以下「引用例４に開示された事項」という。）が開示されているといえる。
　　　　
　イ　ところで，本願発明においては，「充電器の動作停止時にバッテリの充電電圧が第１の電圧レベルにまで低下すると、前記充電器の動作を開始させるようにし、前記バッテリの充電電圧が第１の電圧レベルよりも高い第２の電圧レベルに上昇すると、再び前記充電器の動作を停止」する制御を「定期トリクル充電」と称している。
　そこで，上記「定期トリクル充電」と一般的な「トリクル充電」との関係について検討する。
　　　
　　（ア）まず，一般に「トリクル充電」とは，引用例４にも記載されるように，「通常の充電の終了後は自己放電による自己消費量に見合う微小電流をＡＣアダプタから供給して低率の充電レートで常に充電し，自己放電による目減りを防止する」充電方法と認められる（【００１２】段落参照）。
　また，リチウムイオン電池においては，引用例４にも記載されるように，「電池で決められた以上の電圧を印加すると電池が劣化するため，同様な方式（注．抵抗による電流制限を施したある程度高い定電圧による充電）によるトリクル充電を行うことはできない」こと及び「リチウムイオン電池の自己放電量はニッケルカドミウム電池やニッケル水素電池に比べて極端に少なく１０％／月程度であり，６ヶ月程度放置してもまだ５０％程度の残量がある」こと（【００１４】段落参照）は，普通に知られた事項であると認められる。
　　　　
　　（イ）これに対し，本願発明における「定期トリクル充電」は，バッテリの充電電圧が所定の電圧レベルまで低下して初めて充電を開始するものであり，微小電流で連続的に充電するものではない点で，一般的な意味での「トリクル充電」とは異なるものであると解される。
　そうすると，本願発明における「定期トリクル充電」は，「トリクル充電」との用語を含むものの，その実質的な技術内容は，一般的な「トリクル充電」とは別異のものというべきである。
　　　
　ウ　上記ア，イの検討を踏まえると，上記「引用例４に開示された事項」は，本願発明でいうところの「定期トリクル充電」と実質的に異なるところがなく，引用例４には，リチウムイオン電池に対し，本願発明における「定期トリクル充電」を行うことが実質的に開示されているということができる。
　なお，引用例４に，上記「引用例４に開示された事項」とは別に，一般的な「トリクル充電」に関する事項及び，リチウムイオン電池にトリクル充電を適用することができない旨が記載されているとしても，上記のとおり本願発明における「定期トリクル充電」と一般的な「トリクル充電」とは，別異の充電方法であるから，上記の記載は，引用例４に開示された「定期トリクル充電」がリチウムイオン電池に適用できないことを示唆するものではない。
　　　
　そして，引用発明と引用例４に開示された事項とは，いずれも二次電池の充電制御に関するものであり，共通の技術分野に属するものといえる。
　そうすると，引用発明に引用例４に開示された事項を適用することには，動機付けが存在するというべきである。
　したがって，引用発明において，引用例４に開示された事項を適用して，相違点３に係る本願発明の構成とすることは，当業者が容易に想到し得るものである。
　　　　
　そして，本願発明の全体構成により奏される効果は，引用発明，引用例２，３及び４に開示された事項から当業者が予測し得る範囲内のものと認められる。
　　　
　したがって，本願発明は，引用発明，引用例２，３及び４に開示された事項に基づいて，当業者が容易に発明をすることができたものであるから，特許法第２９条第２項の規定により，特許を受けることができない。
　　　　
５．むすび
　以上のとおりであるから，本願発明は，特許法第２９条第２項の規定により，特許を受けることができない。　
　よって，結論のとおり審決する。